(57)【要約】【課題】電気的な接続を行う一対のコネクタを構成する一方のコネクタと他方のコネクタとの連結状態の良否を容易に確認することができるコネクタを提供することを課題とする。【解決手段】電気的な接続を行う一対のコネクタから構成されており、該一対のコネクタを構成する一方の第一コネクタは、他方の第二コネクタと連結可能に構成された本体部と、第二コネクタとの連結に伴って第二コネクタによって押圧されて移動する移動部とを備えており、本体部は、移動部の移動後の位置において移動部を視認可能に構成された窓部とを備えており、移動部は、移動後の位置において窓部から視認可能な目印部を備える。【選択図】図４
2017103184.tif 000002
【特許請求の範囲】
【請求項１】
電気的な接続を行う一対のコネクタから構成されており、該一対のコネクタを構成する一方の第一コネクタは、他方の第二コネクタと連結可能に構成された本体部と、第二コネクタとの連結に伴って第二コネクタによって押圧されて移動する移動部とを備えており、本体部は、移動部の移動後の位置において移動部を視認可能に構成された窓部とを備えており、移動部は、移動後の位置において窓部から視認可能な目印部を備えるコネクタ。
【請求項２】
前記本体部は、一方向に沿って第二コネクタと連結可能に構成されており、前記移動部は、第一コネクタと第二コネクタとの連結方向に対して交差する方向に移動可能に構成されており、第二コネクタは、移動部を押圧して移動させる押圧部を備え、該押圧部は、移動部の移動方向に対して傾斜するように形成されて前記連結方向に沿った方向から移動部と当接して移動部を押圧する傾斜面を備える請求項１に記載のコネクタ。
【請求項３】
前記移動部を移動可能な状態で移動前の位置に保持する保持部を備える請求項１又は２に記載のコネクタ。
【請求項４】
前記窓部は、第一コネクタと第二コネクタとの連結方向に沿った方向から前記目印部を視認可能に構成される請求項１乃至３の何れか一項に記載のコネクタ。
【発明の詳細な説明】
【技術分野】
【０００１】
本発明は、電気的な接続を行うコネクタに関する。
【背景技術】
【０００２】
雌雄一対のコネクタが連結されることで電気的な接続を行う作業が知られている。斯かる雌雄一対のコネクタとしては、雌雄一対のハウジングと各ハウジングに保持される端子とから構成されるものが知られている。斯かる雌雄一対のコネクタは、雌側ハウジングに雄側ハウジングが差し込まれて連結されることで、各ハウジングに保持された端子同士が電気的に接続される（特許文献１，２参照）。
【０００３】
このような雌雄一対のコネクタにおける端子同士の電気的な接続を確実なものとするためには、雌雄一対のハウジングの連結状態が良好であることが必要となる。このため、雌側ハウジングに雄側ハウジングを差し込む際に雄側ハウジングを雌側ハウジング側へ必要以上に強く押し込んで良好な連結状態を得たり、雌側ハウジングから雄側ハウジングを引き抜くように雄側ハウジングに力を加えて雌側ハウジングから雄側ハウジングが抜けないことを確認することで良好な連結状態であることを確認したりする作業が行われている。
【０００４】
しかしながら、このような作業を行うことは、雌雄一対のコネクタを連結する作業を行ううえで煩雑なものであり、特に、雌雄一対のコネクタを複数対備える装置（特許文献３参照）において上記のような作業を行うことは、より煩雑なものとなる。また、上記のような作業は、連結状態の良否を感覚的に確認するものであるため、良好な連結状態であることを容易に確認することができず、雌雄一対のコネクタに電気的な接続不良が生じる虞がある。
【先行技術文献】
【特許文献】
【０００５】
【特許文献１】特開平５−３４３１３３号公報
【特許文献２】特開２０００−８２５４０号公報
【特許文献３】特表２００１−５１９０７７号公報
【発明の概要】
【発明が解決しようとする課題】
【０００６】
そこで、本発明は、電気的な接続を行う一対のコネクタを構成する一方のコネクタと他方のコネクタとの連結状態の良否を容易に確認することができるコネクタを提供することを課題とする。
【課題を解決するための手段】
【０００７】
本発明に係るコネクタは、電気的な接続を行う一対のコネクタから構成されており、該一対のコネクタを構成する一方の第一コネクタは、他方の第二コネクタと連結可能に構成された本体部と、第二コネクタとの連結に伴って第二コネクタによって押圧されて移動する移動部とを備えており、本体部は、移動部の移動後の位置において移動部を視認可能に構成された窓部とを備えており、移動部は、移動後の位置において窓部から視認可能な目印部を備える。
【０００８】
斯かる構成によれば、第一コネクタと第二コネクタとが連結されることで、第一コネクタが備える移動部が第二コネクタによって押圧されて移動する。そして、移動部が移動した状態において第一コネクタが備える窓部から移動部の目印部が視認可能となる。これにより、第一コネクタと第二コネクタとの連結が良好に行われた状態と斯かる状態において窓部から視認される目印部の状態との関係を把握することが可能となる。これによって、窓部から視認される目印部の状態から一対のコネクタの連結状態の良否を容易に確認することができる。
【０００９】
前記本体部は、一方向に沿って第二コネクタと連結可能に構成されており、前記移動部は、第一コネクタと第二コネクタとの連結方向に対して交差する方向に移動可能に構成されており、第二コネクタは、移動部を押圧して移動させる押圧部を備え、該押圧部は、移動部の移動方向に対して傾斜するように形成されて前記連結方向に沿った方向から移動部と当接して移動部を押圧する傾斜面を備えることが好ましい。
【００１０】
斯かる構成によれば、移動部の移動方向に対して傾斜する傾斜面が連結方向に沿った方向から移動部と当接して移動部を押圧することで、連結方向に対して交差する方向に移動部を移動させることができる。
【００１１】
前記移動部を移動可能な状態で移動前の位置に保持する保持部を備えることが好ましい。
【００１２】
斯かる構成によれば、保持部を備えることで、移動部が移動前の位置において移動可能な状態で保持されるため、前記第二コネクタによる押圧によらないで移動部が意図せずに移動してしまうのを防止することができる。
【００１３】
前記窓部は、第一コネクタと第二コネクタとの連結方向に沿った方向から前記目印部を視認可能に構成されることが好ましい。
【００１４】
斯かる構成によれば、第一コネクタと第二コネクタとを連結した際に連結方向に沿って目印部を窓部から視認することが可能となるため、第一コネクタと第二コネクタとの連結作業を行いつつ窓部から目印部の状態（即ち、連結状態）を容易に確認することができる。
【発明の効果】
【００１５】
以上のように、本発明によれば、電気的な接続を行う一対のコネクタを構成する一方のコネクタと他方のコネクタとの連結状態の良否を容易に確認することができる。
【図面の簡単な説明】
【００１６】
【図１】本技術の一実施形態に係るコネクタを示した斜視図。
【図２】（ａ）は、雌側コネクタを示した正面図、（ｂ）は、同実施形態に係るコネクタが備える移動部を示した斜視図。
【図３】（ａ）は、図１のＸ−Ｘ断面を示した断面図、（ｂ）は、雄側コネクタを示した側面図。
【図４】（ａ）は、同実施形態に係る雌側コネクタに雄側コネクタが差し込まれた状態を示す雌側コネクタの断面図、（ｂ）は、同実施形態に係る雌側コネクタに雄側コネクタが差し込まれた状態において移動部が移動した状態を示す雌側コネクタの断面図。
【図５】他の実施形態に係るコネクタを示した斜視図。
【図６】更に他の実施形態に係るコネクタを示した斜視図。
【図７】図６のＹ−Ｙ断面であって同実施形態に係る雌側コネクタに雄側コネクタが差し込まれた状態を示した断面図。
【図８】（ａ）は、更に他の実施形態に係る雌側コネクタに雄側コネクタが差し込まれた状態における雌側コネクタの断面図、（ｂ）は、同実施形態に係る雌側コネクタに雄側コネクタが差し込まれた状態において移動部が移動した状態を示す雌側コネクタの断面図。
【発明を実施するための形態】
【００１７】
以下に、本発明に係るコネクタの一実施形態について、図１〜４を参照しつつ説明する。図１に示すように、電気的な接続を行う一対のコネクタ１，２を構成する一方の第一コネクタ１は、他方の第二コネクタ２を差し込む雌側コネクタであり、第二コネクタ２は、第一コネクタ１に差し込まれる雄側コネクタである。以下では、第一コネクタ１を雌側コネクタ１とも記載し、第二コネクタ２を雄側コネクタ２とも記載する。雌雄一対のコネクタ１，２としては、特に限定されるものではなく、例えば、雄側コネクタ２としては、ＬＡＮケーブルや電話線等のケーブルの端部に備えられるものが挙げられ、雌側コネクタ１としては、雄側コネクタ２を有するケーブルと接続される機器（パソコンやハブ等）が備えるものやケーブル（延長ケーブル等）の端部に備えられるものが挙げられる。
【００１８】
第一コネクタ１は、第二コネクタ２と連結可能に構成された本体部（以下では、第一本体部とも記す）１Ａを備える。一方、第二コネクタ２は、第一コネクタ１と連結可能に構成された本体部１Ｂを備える。つまり、雌側コネクタ１は、雄側コネクタ２と連結可能に構成された本体部（以下では、雌側本体部とも記す）１Ａを備える。一方、雄側コネクタ２は、雌側コネクタ１と連結可能に構成された本体部（以下では、雄側本体部とも記す）１Ｂを備える。
【００１９】
そして、第一本体部１Ａと第二本体部１Ｂとが一方向に沿って（換言すれば、一方向に伸びる軸線に沿って）連結されることで、一対のコネクタ１，２が電気的に接続される。具体的には、雌側本体部１Ａへ雄側本体部１Ｂが一方向に沿って（換言すれば、一方向に伸びる軸線に沿って）差し込まれることで、雌雄一対のコネクタ１，２が電気的に接続される。なお、以下の説明では、雌側本体部１Ａへの雄側本体部１Ｂの差し込み方向を単に「差し込み方向」と記載する。
【００２０】
雌側本体部１Ａは、雄側本体部１Ｂが差し込まれる差込空間Ｒを形成する。該雌側本体部１Ａは、差込空間Ｒを雌側本体部１Ａの外側へ（具体的には、差し込み方向に沿った方向へ）開放する開口部３Ａを備え、該開口部３Ａから一方向に沿って差込空間Ｒへ雄側本体部１Ｂを差し込み可能に構成される。
【００２１】
開口部３Ａの一部は、雄側コネクタ２と係合するように構成される。具体的には、開口部３Ａは、雄側本体部１Ｂが差し込まれる第一部位４Ａと雄側コネクタ２の係合部３Ｂ（該係合部３Ｂについては後述する）が差し込まれる第二部位５Ａとから構成される。そして、差し込み方向に対して対向する方向において第二部位５Ａと係合部３Ｂとが係合するように構成される。
【００２２】
また、第一コネクタ１は、第二コネクタ２との連結状態の良否を確認する良否確認部３を備える。具体的には、雌側コネクタ１（具体的には、雌側本体部１Ａ）は、差込空間Ｒへ雄側コネクタ２（具体的には、雄側本体部１Ｂ）が差し込まれた際の差し込み状態の良否を確認する良否確認部３を備える。具体的には、第一コネクタ１は、図２（ａ）に示すように、第一本体部１Ａに加え、第二コネクタ２との連結に伴って第二コネクタ２によって押圧されて移動する移動部１Ｃを更に備える。具体的には、雌側コネクタ１は、前記雌側本体部１Ａに加え、差込空間Ｒへの雄側コネクタ２の差し込みに伴って移動する移動部１Ｃを更に備える。また、第一本体部１Ａは、移動部１Ｃの移動後の位置において移動部１Ｃを視認可能に構成された窓部２Ｃを備える。具体的には、雌側本体部１Ａ（具体的には、雌側本体部１Ａ）は、移動後の位置において移動部１Ｃを視認可能に構成された窓部２Ｃを備える。そして、移動部１Ｃと窓部２Ｃとによって良否確認部３が構成される。
【００２３】
移動部１Ｃは、図２（ｂ）に示すように、移動後の位置において窓部２Ｃから視認可能な目印部１Ｃａを備える。該目印部１Ｃａは、移動部１Ｃにおける他の部位とは識別可能に構成される。目印部１Ｃａを他の部位から識別する構成としては、特に限定されるものではなく、例えば、目印部１Ｃａが他の部位とは異なる色彩を有するように構成してもよく、又は、目印部１Ｃａが他の部位とは異なる模様を有するように構成してもよい。また、移動部１Ｃは、雄側コネクタ２と当接する当接部１Ｃｂを備える。該当接部１Ｃｂは、移動部１Ｃが移動する方向（以下、移動方向とも記す）に対して対向する方向側に位置する端部に円弧状に形成される。
【００２４】
また、移動部１Ｃには、移動部１Ｃを移動可能な状態で移動前の位置に保持する保持部３Ｃが連結される。具体的には、保持部３Ｃは、移動部１Ｃにおける移動方向側に位置する端部に連結される。該保持部３Ｃは、弾性を有する素材（本実施形態では、板バネ）を用いて形成され、移動部１Ｃを移動させる力が移動部１Ｃに加わることで、移動方向に対して対向する方向に移動部１Ｃを付勢するように構成される。
【００２５】
そして、図２（ａ）に戻り、移動部１Ｃは、保持部３Ｃを介して雌側本体部１Ａの内側に連結される。また、移動部１Ｃは、雌側本体部１Ａに連結された状態で、その一部（具体的には、当接部１Ｃｂ）が開口部３Ａ（具体的には、第二部位５Ａ）の内側に突出した状態となる。そして、移動部１Ｃは、その一部（具体的には、当接部１Ｃｂ）が開口部３Ａ（具体的には、第二部位５Ａ）の内側に突出した状態が保持部３Ｃによって保持される。また、目印部１Ｃａは、窓部２Ｃよりも開口部３Ａ側の位置に保持される。また、移動部１Ｃは、図３（ａ）に示すように、第一コネクタと第二コネクタとの連結方向（具体的には、雌側本体部１Ａへの雄側本体部１Ｂの差し込み方向）に沿った軸線Ｌに対して交差する（具体的には、略直交する）方向に移動可能となるように雌側本体部１Ａに連結される。
【００２６】
一方、窓部２Ｃは、雌側本体部１Ａを貫通する（具体的には、軸線Ｌに沿って貫通する）貫通孔６Ａから構成される。該貫通孔６Ａは、軸線Ｌ方向に（具体的には、差し込み方向に対向する方向に）開放するように形成される。つまり、貫通孔６Ａ（即ち、窓部２Ｃ）は、開口部３Ａと同一方向へ開放するように形成される。窓部２Ｃの大きさとしては、特に限定されるものではなく、例えば、移動部１Ｃが移動した状態において目印部１Ｃａの全体が窓部２Ｃから視認可能となるように形成されてもよく、目印部１Ｃａの一部が窓部２Ｃから視認可能となるように形成されてもよい。
【００２７】
図１に戻り、雄側コネクタ２は、雌側本体部１Ａの開口部３Ａに差し込まれる雄側本体部１Ｂと雌側本体部１Ａ（具体的には、開口部３Ａの第二部位５Ａ）と係合する係合部３Ｂを備える。雄側コネクタ２は、雌側本体部１Ａが備える開口部３Ａへ差し込み可能に構成される。具体的には、雄側本体部１Ｂが第一部位４Ａへ差し込み可能に構成され、係合部３Ｂが第二部位５Ａへ差し込み可能に構成される。
【００２８】
係合部３Ｂは、差し込み方向の一端部が雄側本体部１Ｂに連結されると共に該一端部よりも他端部側が雄側本体部１Ｂから離間した状態となるように形成される。これにより、係合部３Ｂは、雄側本体部１Ｂに連結された一端部を中心に該一端部よりも他端部側の部分が雄側本体部１Ｂ側へ移動可能に構成される。
【００２９】
また、係合部３Ｂは、係合部３Ｂを雄側本体部１Ｂ側へ移動させる際に押し込まれる押込部４Ｂと、該押込部４Ｂから突出する突出部５Ｂとから構成される。具体的には、係合部３Ｂは、差し込み方向の一端側に突出部５Ｂを備えると共に他端側に押込部４Ｂを備える。そして、突出部５Ｂが雌側本体部１Ａ（具体的には、開口部３Ａの第二部位５Ａ）と差し込み方向に対向する方向で係合可能に構成される。
【００３０】
また、図３（ｂ）に示すように、第二コネクタ２（具体的には、雄側コネクタ２）は、軸線Ｌ（具体的には、差し込み方向）に対して傾斜する傾斜面１Ｄを備える。該傾斜面１Ｄは、係合部３Ｂ（具体的には、突出部５Ｂから押込部４Ｂに亘って）に設けられる。また、傾斜面１Ｄは、軸線Ｌ方向の一端側（差し込み方向側の一端側）から他端側へ向かって雄側本体部１Ｂとの間隔が連続的に広がるように形成される。
【００３１】
そして、図４（ａ）に示すように、雌側本体部１Ａへ雄側コネクタ２が差し込まれることで、開口部３Ａ（具体的には、第二部位５Ａ）の内側に突出した移動部１Ｃ（具体的には、当接部１Ｃｂ）と係合部３Ｂ（具体的には、傾斜面１Ｄ）とが軸線Ｌに沿った方向で当接する。この際、傾斜面１Ｄは、移動部１Ｃと当接した状態で移動部１Ｃの移動方向（即ち、軸線Ｌに対して交差する方向）に対して傾斜した状態で配置される。
【００３２】
そして、図４（ｂ）に示すように、雌側本体部１Ａへ雄側コネクタ２を更に深く差し込む。これにより、係合部３Ｂ（具体的には、突出部５Ｂ）が開口部３Ａの第二部位５Ａと差し込み方向に対向する方向で係合した状態となる。これにより、一対のコネクタ１，２が連結された状態となる。斯かる状態において、移動部１Ｃは、係合部３Ｂ（具体的には、傾斜面１Ｄ）によって押圧されて軸線Ｌ（即ち、差し込み方向）に対して交差する（具体的には、略直交する）方向に移動する。つまり、係合部３Ｂは、移動部１Ｃを押圧して移動させる押圧部４として作用する。そして、移動部１Ｃが移動した状態において目印部１Ｃａが窓部２Ｃと軸線Ｌに沿った方向で重なるように配置される。これにより、目印部１Ｃａが窓部２Ｃから視認可能となる。
【００３３】
以上のように、本技術に係るコネクタによれば、電気的な接続を行う一対のコネクタを構成する一方のコネクタと他方のコネクタとの連結状態の良否を容易に確認することができる。
【００３４】
即ち、第一コネクタ（具体的には、雌側コネクタ）１と第二コネクタ（具体的には、雄側コネクタ）２とが連結されることで、第一コネクタ１が備える移動部１Ｃが第二コネクタ２によって押圧されて移動する。そして、移動部１Ｃが移動した状態において第一コネクタ１が備える窓部２Ｃから移動部１Ｃの目印部１Ｃａが視認可能となる。これにより、第一コネクタ１と第二コネクタ２との連結が良好に行われた状態と斯かる状態において窓部２Ｃから視認される目印部１Ｃａの状態との関係を把握することが可能となる。これによって、窓部２Ｃから視認される目印部１Ｃａの状態から一対のコネクタの連結状態の良否を容易に確認することができる。
【００３５】
また、移動部１Ｃの移動方向に対して傾斜する傾斜面１Ｄが連結方向に沿った方向から移動部１Ｃと当接して移動部１Ｃを押圧することで、連結方向に対して交差する方向に移動部１Ｃを移動させることができる。
【００３６】
また、保持部３Ｃを備えることで、移動部１Ｃが移動前の位置において移動可能な状態で保持されるため、前記第二コネクタ２による押圧によらないで移動部１Ｃが意図せずに移動してしまうのを防止することができる。
【００３７】
また、第一コネクタ１と第二コネクタ２とを連結した際に連結方向に沿って目印部１Ｃａを窓部２Ｃから視認することが可能となるため、第一コネクタ１と第二コネクタ２との連結作業を行いつつ窓部２Ｃから目印部１Ｃａの状態（即ち、連結状態）を容易に確認することができる。
【００３８】
なお、本発明に係るコネクタは、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００３９】
上記実施形態では、第一コネクタ（具体的には、雌側コネクタ）１が一つの良否確認部３を備え、第二コネクタ（具体的には、雄側コネクタ）２が一つの押圧部４を備えるように構成されているが、これに限定されるものではなく、例えば、図５に示すように、複数の良否確認部３を備える第一コネクタ（具体的には、雌側コネクタ）１’と複数の押圧部４を備える第二コネクタ（具体的には、雄側コネクタ）２’とから構成されてもよい。具体的には、雌側コネクタ１’は、差し込み方向に沿った軸線Ｌに対して交差する幅方向の両端部に良否確認部３を備えるように構成されてもよい。また、雄側コネクタ２’は、幅方向の両端部に押圧部４（係合部３Ｂ）を備えるように構成されてもよい。
【００４０】
斯かる構成によれば、雌側コネクタ１’への雄側コネクタ２’の差し込み状態を複数箇所で確認することができるため、差し込み状態の確認をより確実に行うことができる。特に、軸線Ｌに対して交差する方向に幅の広い雌雄一対のコネクタ１’，２’を連結する際には、雌側コネクタ１’の幅方向の両端部に備えられた良否確認部３を確認することで、雌側コネクタ１’への雄側コネクタ２’の差し込み状態をより確実に確認することができる。
【００４１】
また、上記実施形態では、第一コネクタ（具体的には、雌側コネクタ）１に良否確認部３を備え、第二コネクタ（雄側コネクタ）２に押圧部４を備えるように構成されているが、これに限定されるものではなく、例えば、図６に示すように、良否確認部３が第二コネクタ（具体的には、雄側コネクタ）２’’に備えられ、押圧部４が第一コネクタ（具体的には、雌側コネクタ）１’’に備えられてもよい。
【００４２】
具体的には、雄側コネクタ２’’は、雄側本体部１Ｂ’’に窓部２Ｃを備え、該雄側本体部１Ｂ’’に移動部１Ｃが連結される。また、雄側本体部１Ｂ’’は、移動部１Ｃを収容する収容部７Ｂを備える。窓部２Ｃは、収容部７Ｂと連通するように雄側本体部１Ｂ’’を貫通する（具体的には、軸線Ｌに沿って貫通する）貫通孔６Ｂから構成される。該貫通孔６Ｂは、軸線Ｌ方向に（具体的には、差し込み方向に対向する方向に）開放するように形成される。移動部１Ｃは、移動前の状態において軸線Ｌに対して交差する方向に雄側本体部１Ｂ’’から突出するように構成される。
【００４３】
そして、雌側コネクタ１’’へ雄側コネクタ２’’が差し込まれることで、図７に示すように、第一本体部（具体的には、雌側本体部）１Ａ’’が備える押圧部４（具体的には、傾斜面１Ｄ）によって移動部１Ｃが押圧されて軸線Ｌに対して交差する（具体的には、略直交する）方向へ移動する。そして、移動部１Ｃが移動した状態において目印部１Ｃａが窓部２Ｃと軸線Ｌに沿った方向で重なるように配置される。これにより、目印部１Ｃａが窓部２Ｃから視認可能となる。
【００４４】
また、上記実施形態では、移動部１Ｃが傾斜面１Ｄによって押圧されて軸線Ｌ（即ち、差し込み方向）に対して交差する方向に移動するように構成されているが、これに限定されるものではなく、例えば、図８に示すように、移動部１Ｃ’が傾斜面１Ｄではなく第二コネクタ２（具体的には、雄側本体部１Ｂ）によって押圧されて軸線Ｌ（即ち、差し込み方向）に沿って移動するように構成されてもよい。つまり、雄側本体部１Ｂが押圧部４として作用するように構成されてもよい。斯かる場合には、雌側コネクタ１’’’（具体的には、雌側本体部１Ａ’’’）は、軸線Ｌに対して交差する方向から移動部１Ｃ（具体的には、目印部１Ｃａ）を視認可能に構成された窓部２Ｃ’を備える。
【００４５】
また、上記実施形態では、雄側コネクタ２が備える係合部３Ｂが押圧部４として（具体的には、傾斜面１Ｄを備えるように）構成されているが、これに限定されるものではなく、例えば、他の部位（具体的には、雄側本体部１Ｂ）が傾斜面１Ｄを備えるように構成されてもよい。
【符号の説明】
【００４６】
１…第一コネクタ（雌側コネクタ）、１Ａ…第一本体部（雌側本体部）、１Ｂ…第二本体部（雄側本体部）、１Ｃ…移動部、１Ｃａ…目印部、１Ｃｂ…当接部、１Ｄ…傾斜面、２…第二コネクタ（雄側コネクタ）、２Ｃ…窓部、３…良否確認部、３Ａ…開口部、３Ｂ…係合部、３Ｃ…保持部、４…押圧部、４Ａ…第一部位、４Ｂ…押込部、５Ａ…第二部位、５Ｂ…突出部、６Ａ…貫通孔、６Ｂ…貫通孔、７Ｂ…収容部、Ｌ…軸線、Ｒ…差込空間
【図１】
2017103184.tif 000003
【図２】
2017103184.tif 000004
【図３】
2017103184.tif 000005
【図４】
2017103184.tif 000006
【図５】
2017103184.tif 000007
【図６】
2017103184.tif 000008
【図７】
2017103184.tif 000009
【図８】
2017103184.tif 000010